(57)【要約】【課題】係合機構におけるパックエンド圧の推定精度を向上するとともに、そのパックエンド圧を設定して待機させることのできる係合機構の油圧制御装置を提供する。【解決手段】係合機構の油圧制御装置において、コントローラは、油圧室の油圧が所定圧となっていてかつ係合機構でのトルクの伝達がない待機状態の場合に、油圧室の油圧を増大させる第１指示圧と、第１指示圧と比較して油圧室での油圧の増大が小さい第２指示圧とを連続して出力するパターン制御を少なくとも１回行って油圧をステップ的に増大させ（ステップＳ３，Ｓ１０）、かつ、第１指示圧による油圧室での油圧の第１変化量と第２指示圧による油圧室での油圧の第２変化量とを求め（ステップＳ４，Ｓ１１）、第１変化量と第２変化量とに基づいて係合機構がトルクを伝達し始める油圧室での油圧を推定する（ステップＳ９）。【選択図】図４
2018105402.tif 000002
【特許請求の範囲】
【請求項１】
油圧室の油圧が低下されて解放状態となることによりトルクの伝達が遮断され、前記油圧室の油圧が増大されて係合状態となることにより前記トルクの伝達を行うように構成された係合機構の油圧制御装置において、
前記油圧室の前記油圧を変化させるコントローラを備え、
前記コントローラは、
前記油圧室の前記油圧が所定圧となっていてかつ前記係合機構での前記トルクの伝達がない待機状態の場合に、
前記油圧室の前記油圧を増大させる第１指示圧と、前記第１指示圧と比較して前記油圧室での前記油圧の増大が小さい第２指示圧とを連続して出力するパターン制御を少なくとも１回行って前記油圧をステップ的に増大させ、かつ、
前記第１指示圧による前記油圧室での前記油圧の第１変化量と前記第２指示圧による前記油圧室での前記油圧の第２変化量とを求め、
前記第１変化量と前記第２変化量とに基づいて前記係合機構が前記トルクを伝達し始める前記油圧室での前記油圧を推定する
ことを特徴とする係合機構の油圧制御装置。
【発明の詳細な説明】
【技術分野】
【０００１】
この発明は、係合することによりトルクを伝達するように構成された係合機構に関し、特に、油圧が供給されて係合・解放するように構成された係合機構を対象とする油圧制御装置に関するものである。
【背景技術】
【０００２】
この種の装置の一例が特許文献１に記載されている。その装置は、変速機の変速比を設定する複数の油圧制御式クラッチを備え、各油圧制御式クラッチが作動し始める時期が規定範囲内となるように、油圧制御式クラッチに供給する作動流体の流量を制御する圧力制御スイッチを調整するように構成されている。具体的には、圧力制御スイッチの弁プランジャの一端部に作用する制御圧と、他端部に作用するクラッチの制御室からのフィードバック圧およびバネ力とによって弁プランジャの位置を推定する。そして、弁プランジャの推定位置と圧力制御スイッチのクラッチ圧と作動流体の圧力や温度となどに基づいて、上述した油圧制御式クラッチが作動し始める時期、つまり、油圧制御式クラッチがトルクを伝達し始めるパックエンド圧を推定し、上述した時期が規定範囲内となるように圧力制御スイッチを調整する。
【０００３】
また、特許文献２には、自動変速機の変速比を変更する係合装置を係合状態となる直前の待機状態とするパック詰め制御を行うように構成された自動変速機の制御装置が記載されている。その制御装置は、パワーオンダウンシフトやマニュアルアップシフトなどの変速制御の形態に応じて、パック詰め制御の目標時間を設定するとともに、変速制御の形態に応じた油圧モデルを算出しあるいは予め記憶してあるデータから読み出す。油圧モデルとは、変速制御の形態に応じたパック詰め制御における油圧指令値の出力形態を設定したものである。そして、油圧モデルと目標時間となどに基づいてパック詰め制御を行うように構成されている。
【０００４】
特許文献３には、クラッチのピストンを作動させる比例電磁制御弁の特性補正装置が記載されている。その装置は、比例電磁制御弁に対する制御指令信号である電流値を漸増させることにより、電流値に対してピストンを移動させる油圧室の実油圧が追従して変化しない状態から電流値に対して実油圧が追従して変化するポイントを検出するように構成されている。つまり、ピストンのストロークが終了するピストンエンドを検出し、ピストンエンドでの実油圧に対応する電流値を推定するように構成されている。
【先行技術文献】
【特許文献】
【０００５】
【特許文献１】米国特許第９１４０３３７号明細書
【特許文献２】特開２０１６−００３７３３号公報
【特許文献３】特開２００５−１０６１３１号公報
【発明の概要】
【発明が解決しようとする課題】
【０００６】
特許文献１に記載された圧力制御スイッチは、制御圧とフィードバック圧となどの釣り合いにより弁プランジャの位置を変更して油圧制御式クラッチに対する油圧の供給および停止を切り替えており、油圧制御式クラッチに対する油圧の供給および停止を直接切り替えるようには構成されていない。そのため、特許文献１に記載された構成では、油圧制御式クラッチを構成する部品のばらつきによる個体差があったり、経年劣化したりすると、それらの影響を受けてパックエンド圧を推定することとなる。その結果、推定されるパックエンド圧と、実際のパックエンド圧とが乖離し、パックエンド圧の推定精度が悪化してしまう可能性がある。
【０００７】
特許文献２に記載された構成では、算出あるいは予め設定した油圧モデルに基づいてパック詰め制御を行うように構成されている。そのため、制御対象である係合装置を構成する部品のばらつきによる個体差があったり経年劣化したりすると、油圧モデルによる油圧指令値と実際の油圧とが乖離してしまい、変速制御の形態に応じたパック詰め制御にならない可能性がある。なお、特許文献３に記載された装置は、ピストンエンドを推定するように構成されており、パックエンド圧を推定するものではない。
【０００８】
この発明は上記の技術的課題に着目してなされたものであって、係合機構におけるパックエンド圧の推定精度を向上するとともに、そのパックエンド圧を設定して待機させることのできる係合機構の油圧制御装置を提供することを目的とするものである。
【課題を解決するための手段】
【０００９】
上記の目的を達成するために、この発明は、油圧室の油圧が低下されて解放状態となることによりトルクの伝達が遮断され、前記油圧室の油圧が増大されて係合状態となることにより前記トルクの伝達を行うように構成された係合機構の油圧制御装置において、前記油圧室の前記油圧を変化させるコントローラを備え、前記コントローラは、前記油圧室の前記油圧が所定圧となっていてかつ前記係合機構での前記トルクの伝達がない待機状態の場合に、前記油圧室の前記油圧を増大させる第１指示圧と、前記第１指示圧と比較して前記油圧室での前記油圧の増大が小さい第２指示圧とを連続して出力するパターン制御を少なくとも１回行って前記油圧をステップ的に増大させ、かつ、前記第１指示圧による前記油圧室での前記油圧の第１変化量と前記第２指示圧による前記油圧室での前記油圧の第２変化量とを求め、前記第１変化量と前記第２変化量とに基づいて前記係合機構が前記トルクを伝達し始める前記油圧室での前記油圧を推定することを特徴とするものである。
【発明の効果】
【００１０】
この発明によれば、油圧室の油圧が所定圧となっていてかつトルクの伝達がない待機状態の場合には、係合機構に対して油圧室の油圧を増大させる第１指示圧と第２指示圧とが連続して少なくとも１回出力される。これにより第１指示圧と第２指示圧とのそれぞれに対する油圧の応答性、すなわち、各指示圧に対する油圧室での油圧の変化量をそれぞれ求める。油圧式の係合機構では解放状態から係合状態に到る過程で、指示圧に対する上述した油圧の応答性が変化する。そのため、上述した第１指示圧による第１変化量と、第２指示圧による第２変化量とに基づいて、係合機構におけるトルクを伝達し始める油圧を推定することができる。また、この発明では、油圧室の油圧を実際に変化させて求めた各変化量に基づいて現時点での係合機構におけるトルクを伝達し始める油圧を推定しているため、係合機構を構成する各部品のばらつきによる個体差あるいは経年劣化などがあったとしても、前記個体差や経年劣化などの影響を実質的に少なく、あるいは、許容することができる。その結果、係合機構におけるトルクを伝達し始める油圧であるパックエンド圧の推定精度を向上することができる。これにより、油圧室の油圧をパックエンド圧に設定して待機させることができるため、係合指示があった場合には、係合機構を速やかに係合させることができる。
【図面の簡単な説明】
【００１１】
【図１】この発明の実施形態に係る係合機構の一例を模式的に示す断面図である。
【図２】この発明の実施形態に係る係合機構における油圧回路の一例を模式的に示す図である。
【図３】この発明の実施形態に係る係合機構の係合過程における油圧曲線を模式的に示す図である。
【図４】この発明の実施形態における制御の一例を説明するためのフローチャートである。
【図５】この発明の実施形態における第２制御パターンの一例を模式的に示す図である。
【図６】この発明の実施形態における第３制御パターンの一例を模式的に示す図である。
【図７】この発明の実施形態における第１制御パターンの一例を模式的に示す図である。
【図８】図４に示す制御を行った場合の油圧室の油圧の変化、および、摩擦クラッチでの伝達トルクの変化の一例を示すタイムチャートである。
【発明を実施するための形態】
【００１２】
図１は、この発明の実施形態に係る係合機構の一例を模式的に示す断面図である。図１に示す例における係合機構は、車両に搭載される油圧式の摩擦クラッチ１であって、摩擦クラッチ１は、図示しないエンジンの出力軸に連結されたインプットシャフト２と一体に回転しかつインプットシャフト２の外周側に設けられたクラッチドラム３を有している。クラッチドラム３は、軸線方向に凹んだ環状の凹部であるシリンダ部を形成している。クラッチドラム３の内部に、互いに摩擦接触することによってトルクを伝達する複数のプレート４と複数のディスク５とが設けられている。プレート４とディスク５とは図１に示すように、交互に配置され、各プレート４はクラッチドラム３の内周面のうち半径方向で外側の内周面３Ａにスプライン嵌合している。ディスク５は図示しない出力部に取り付けられたクラッチハブ６の外周面にスプライン嵌合している。クラッチハブ６は円筒状の部材であって、クラッチドラム３と同心円状に配置されている。
【００１３】
クラッチドラム３の内部に、プレート４とディスク５とに向けて前後動し、プレート４とディスク５とを押圧して係合させるピストン７が収容されている。半径方向でピストン７の内周部はクラッチドラム３の内周面のうち半径方向で内側の内周面３Ｂに接触している。半径方向でピストン７の外周部は軸線方向でプレート４側に突出しており、その突出部７Ａとプレート４との間に、プレート４とディスク５とを係合させる際に、それらの間で締結圧や係合力が急激に増大することを抑制するディッシュプレート８が配置されている。インプットシャフト２の軸線方向でピストン７とクラッチドラム３との間には、隙間が形成されており、この隙間は油圧室９となっている。
【００１４】
油圧室９には、図示しない油圧供給源からピストン７を軸線方向に前後動させる油圧が供給される。すなわち、インプットシャフト２の内部に、軸線方向に延びかつ図示しない油圧供給源に連通する油路１０と、油路１０からインプットシャフト２の外周面に到る油孔１１とが形成されている。クラッチドラム３におけるインプットシャフト２側の内周部には、半径方向に貫通していて前記油孔１１に連通する他の油路１２が形成されている。また、油圧室９や、インプットシャフト２とクラッチドラム３との間の隙間などからのオイルの漏洩を防止もしくは抑制するシールリング１３がインプットシャフト２の外周面やピストン７に嵌合されている。
【００１５】
インプットシャフト２の軸線方向でピストン７を挟んでクラッチドラム３とは反対側にリターンスプリング１４が配置され、軸線方向でリターンスプリング１４を挟んでクラッチドラム３とは反対側にリテーナ１５が設けられている。リテーナ１５はスナップリング１６によって、クラッチドラム３の凹部における内周面のうち半径方向で内側の内周面３Ｂに抜け止めされている。リターンスプリング１４はクラッチドラム３とリテーナ１５との間に配置され、ピストン７をクラッチドラム３側に押圧している。
【００１６】
図２は、この発明の実施形態に係る係合機構における油圧回路の一例を模式的に示す図である。油圧供給源１７は、図示しないエンジンによって駆動される機械式のオイルポンプや、図示しないモータによって駆動される電動式オイルポンプを有しており、それらのオイルポンプの吐出口に上述した油路１０が連通されている。油路１０の途中には油圧供給源１７から吐出されたオイルを所定の圧力に調圧する調圧弁１８が設けられている。調圧弁１８は例えばソレノイドバルブであってよく、油圧供給源１７から吐出されたオイルの圧力を制御指令信号である電流値もしくは電磁力に応じた圧力に調圧するように構成されている。油路１０におけるオイルの流動方向で調圧弁１８の下流側には、油路１０の開口面積（流路断面積）を減じるオリフィス１９が設けられている。そのため、摩擦クラッチ１に供給されるオイルの流量はオリフィス１９によって調整あるいは減じられる。
【００１７】
油路１０におけるオリフィス１９の下流側に、摩擦クラッチ１の油圧室９に直接連通するダンパ機構２０と実油圧センサ２１とが設けられている。ダンパ機構２０は、油圧供給源１７から吐出されるオイルの圧力変動を吸収するものであって、例えばアキュムレータによって構成することができる。実油圧センサ２１は、従来知られている油圧センサと同様の構成のものであってよい。油路１０におけるダンパ機構２０と実油圧センサ２１との下流側で油路１０と他の油路１２とが連通している。それらの接続箇所には、上述したように、シールリング１３が設けられており、オイルの漏洩を防止もしくは抑制している。
【００１８】
油圧供給源１７の駆動や、調圧弁１８を制御して摩擦クラッチ１の係合状態と解放状態とを制御する電子制御装置（ＥＣＵ）２２が設けられている。ＥＣＵ２２は、この発明の実施形態におけるコントローラに相当し、例えばマイクロコンピュータを主体にして構成され、入力されたデータや、予め記憶しているデータを使用して演算を行い、演算の結果を制御指令信号として油圧供給源１７や調圧弁１８に出力するように構成されている。ＥＣＵ２２に入力されるデータは、実油圧センサ２１によって検出された油圧室９の油圧や、図示しない制動装置に設けられたブレーキ圧センサによって検出されたブレーキ圧Ｐｂｒａｋｅ、各種のセンサによって得られた車速Ｖやアクセルペダルの踏み込み量であるアクセル開度ＡＣＣなどである。
【００１９】
図３は、この発明の実施形態に係る係合機構の係合過程における油圧曲線の一例を模式的に示す図である。互いに離隔している係合要素であるプレート４とディスク５とが完全に係合するまでの過程は、図３に示すように、４つのステージに大別することができる。第１ステージＳＴ１は、ピストン７がプレート４とディスク５とに向けて動き出す前の段階である。具体的に説明すると、油圧室９の油圧を増大させる指示圧がＥＣＵ２２から油圧供給源１７や調圧弁１８に入力され、指示圧に基づいて油圧供給源１７や調圧弁１８が制御されて油圧室９の油圧が増大される。油圧室９の油圧が、ピストン７が移動し始める油圧であるストローク開始圧Ｐｐｓより低い場合には、ピストン７の移動に伴う油圧室９の体積変化がない。そのため、油圧室９における実際の油圧（以下の説明では、実油圧と記す。）は、上述した指示圧に追従するように変化する。そのため、第１ステージＳＴ１では、所定時間当たりの油圧の変化量は大きく、指示圧に対する実油圧の応答性が良い。
【００２０】
油圧室９の油圧がストローク開始圧Ｐｐｓより大きくなると、プレート４とディスク５とに向かって軸線方向にピストン７が移動し始める。ピストン７の移動に伴って油圧室９の体積が大きくなるため、第１ステージＳＴ１と比較して、油圧室９における実油圧と指示圧との乖離が大きくなり、実油圧は緩やかに増大する。ピストン７が移動して突出部７Ａがディッシュプレート８を押し潰し始めると、プレート４とディスク５とが接触あるいは係合し始め、プレート４とディスク５との間でトルクが伝達され始める。第２ステージＳＴ２は、油圧室９の油圧がストローク開始圧Ｐｐｓ以上となってピストン７が移動し始めてから、ピストン７によってディッシュプレート８を押し潰し始めるまでの段階である。すなわち、ピストン７がストロークする段階である。この第２ステージＳＴ２では油圧室９の体積変化を伴うため、第１ステージＳＴ１と比較して所定時間当たりの油圧の変化量は小さく、指示圧に対する実油圧の応答性が悪い。
【００２１】
ピストン７がディッシュプレート８を押し潰している段階では、ピストン７は、ディッシュプレート８を押し潰した分、移動する。また、ディッシュプレート８が完全に押し潰されると、ピストン７が停止する。第３ステージＳＴ３は、このように、ピストン７がディッシュプレート８を押し潰し始めてからピストン７の移動が停止するまでの段階である。そのため、第３ステージＳＴ３では、プレート４とディスク５とが半係合あるいはスリップしている。また、第３ステージＳＴ３では、第２ステージＳＴ２と比較して油圧室９の体積変化が小さいことにより、所定時間当たりの油圧の変化量は第２ステージＳＴ２に比較して大きく、また、指示圧に対する実油圧の応答性は第２ステージＳＴ２に比較して良い。それら第２ステージＳＴ２と第３ステージＳＴ３との境界の油圧は、プレート４とディスク５との間での伝達トルク容量が「０」となる油圧室９における最大の油圧である。この油圧を以下の説明ではパックエンド圧と称する。油圧室９の油圧がパックエンド圧より大きくなると、プレート４とディスク５との間でトルクが伝達される。
【００２２】
ディッシュプレート８が完全に押し潰されてピストン７の移動が終了すると、油圧室９に油圧を供給しても、油圧室９の体積は変化しない。そのため、油圧室９における実油圧は指示圧に追従するように変化し、プレート４とディスク５とは完全に係合する。このようにプレート４とディスク５とが完全に係合している段階が第４ステージＳＴ４である。第４ステージＳＴ４では所定時間当たりの油圧の変化量は大きく、指示圧に対する実油圧の応答性が良い。また、プレート４とディスク５との係合力あるいは締結圧は油圧室９の油圧に応じた値になる。
【００２３】
上述した構成の摩擦クラッチ１では、プレート４とディスク５とを係合させてトルク伝達を行う場合に、第２ステージＳＴ２が律速となる。そのため、この発明の実施形態に係る係合機構の油圧制御装置では、摩擦クラッチ１でのトルク伝達に備える待機状態が設定されている場合に、第２ステージＳＴ２と第３ステージＳＴ３との境界であるパックエンド圧を推定し、油圧室９の油圧をパックエンド圧もしくはこれとほぼ同じ圧力に設定するように構成されている。図４は、パックエンド圧を推定するためのこの発明の実施形態に係る制御の一例を説明するためのフローチャートである。ここに示すルーチンは車両におけるパワースイッチがオンにされた場合や、車両が停車している場合、あるいは、車両が走行している場合などであって、対象とする係合機構が待機状態となっている場合に、ＥＣＵ２２によって所定の短時間毎に繰り返し実行される。
【００２４】
図４に示す例では、先ず、指示圧待機状態であるか否かが判断される（ステップＳ１）。指示圧待機状態とは、将来における摩擦クラッチ１でのトルク伝達に備えて、プレート４とディスク５とのクリアランスが詰められており、かつ、摩擦クラッチ１における伝達トルク容量が「０」となっている状態である。これは、ファーストフィル制御を実行することにより設定することができる。ファーストフィル制御は、上述したクリアランスを詰める制御であって、油圧室９の油圧が一時的に高められる。その後、油圧室９の油圧は、ファーストフィル制御によって設定されたプレート４とディスク５とのクリアランスを維持できる程度の低い油圧に設定される。したがって、ステップＳ１での判断は、例えば、ファーストフィル制御を実行するフラグがオンとなっているか否かに基づいて判断することができる。なお、この指示圧待機状態がこの発明の実施形態における待機状態に相当し、ファーストフィル制御によって設定されたプレート４とディスク５とのクリアランスを維持できる程度の低い油圧がこの発明の実施形態における所定圧に相当している。
【００２５】
ステップＳ１で否定的に判断された場合には、特に制御を行うことなく図４に示すルーチンを一旦終了する。これに対してステップＳ１で肯定的に判断された場合には、油圧供給源１７や調圧弁１８に対する指示圧が基準圧Ｐｓｌｒｅｑに設定される（ステップＳ２）。実油圧センサ２１や各種のセンサによる検出値、摩擦クラッチ１には、例えば、製造ばらつきによる個体差や経年劣化などに起因した誤差を含む場合があり、前回のルーチンにおいて推定されたパックエンド圧（以下の説明では前回値と称する。）は、それらの誤差を含んでいる可能性がある。また、前回値は誤差を含んでいることによって、実際の値より大きい値となっている可能性がある。そのため、前回値から上述した誤差分を減じて基準圧Ｐｓｌｒｅｑとし、基準圧Ｐｓｌｒｅｑから今回のルーチンでの係合機構における係合段階の同定制御を開始する。したがって、図４のステップＳ２に記載してある所定圧とは、上述した誤差に対応する値であり、例えば、以下に説明する第１指示圧Ｐｕ１と第２指示圧Ｐｕ２との合計値から第３指示圧Ｐｄ１を減じて求めた算出値を用いることができる。この算出値に替えて、実験などにより予め定めた値を用いてもよい。なお、車両の出荷時においては、前回値として実験的に求めた値を予め設定する。また、油圧室９の油圧は基準圧Ｐｓｌｒｅｑに応じた油圧に設定される。
【００２６】
次いで、油圧室９の油圧を増大させる第１指示圧Ｐｕ１が油圧供給源１７や調圧弁１８に入力される（ステップＳ３）。油圧室９の油圧は基準圧Ｐｓｌｒｅｑに応じた油圧となっているため、第１指示圧Ｐｕ１の分、油圧室９の油圧が増大される。次いで、第１指示圧Ｐｕ１が入力されてから所定時間経過したｔｊ１時点において、第１指示圧Ｐｕ１に対する摩擦クラッチ１の油圧の応答性が良いか否かが判断される（ステップＳ４）。具体的には、第１指示圧Ｐｕ１が入力された時点から所定時間経過したｔｊ１時点までの間における油圧室９での油圧の第１変化量Δ１が第１閾値α以上か否かが判断される。第１閾値αは油圧応答性の良否を判定するためのものであって、実験などにより予め求めることができる。第１変化量Δ１が第１閾値α以上であれば、ステップＳ４で肯定的に判断される。この場合には、ｔｊ１時点において、摩擦クラッチ１の係合段階は、図３に示す係合過程における油圧曲線で、指示圧に対する実油圧の応答性が良いとされる第１ステージＳＴ１もしくは第３ステージＳＴ３となっている可能性がある。これに対して、ステップＳ４で否定的に判断された場合には、ｔｊ１時点において、摩擦クラッチ１の係合段階は、指示圧に対する実油圧の応答性が悪いとされる第２ステージＳＴ２となっている可能性がある。
【００２７】
ステップＳ４で肯定的に判断された場合には、ｔｊ１時点での油圧室９の実油圧を実油圧センサ２１によって検出するとともに、実油圧がストローク開始圧Ｐｐｓ以下であるか否かが判断される（ステップＳ５）。ストローク開始圧Ｐｐｓはピストン７が動き始める圧力であるため、このステップＳ５では、摩擦クラッチ１の係合段階が第１ステージＳＴ１であるか否かが判断される。ステップＳ５で肯定的に判断された場合には、現時点での摩擦クラッチ１の係合段階が第１ステージＳＴ１であると同定される（ステップＳ６）。この場合には、ステップＳ３に戻り、再度、第１指示圧Ｐｕ１が入力され、２周期目の同定制御が実行される。この制御パターンが、図５に記載してある第２制御パターンである。
【００２８】
これに対して、ステップＳ５で否定的に判断された場合には、現時点での摩擦クラッチ１の係合段階が第３ステージＳＴ３であると同定されるとともに、今回のルーチンにおける同定結果が図示しない記憶装置に一旦記憶され、かつ、第１指示圧Ｐｕ１の分、油圧室９の油圧が低下される（ステップＳ７）。つまり、上述した同定結果を一時的に記憶し、油圧室９の油圧が基準圧Ｐｓｌｒｅｑにまで低下される。この制御パターンが、図６に記載してある第３制御パターンである。その後に、ステップＳ８に進み、前回の同定制御の同定結果が第２ステージＳＴ２であるか否かが判断される。ステップＳ８で肯定的に判断された場合には、ステップＳ９に進み、前回の同定結果と今回の同定結果とに基づいてパックエンド圧が推定されるとともに、油圧室９の油圧がパックエンド圧に設定される。ステップＳ９でのパックエンド圧の推定制御については後述する。また、ステップＳ８で否定的に判断された場合には、図４に示すルーチンを一旦終了する。
【００２９】
上述したステップＳ４で否定的に判断された場合には、第１指示圧Ｐｕ１に続けて第２指示圧Ｐｕ２が入力され、さらに、第２指示圧Ｐｕ２に続けて第３指示圧Ｐｄ１が入力される（ステップＳ１０）。この制御パターンが、図７に記載してある第１制御パターンであって、第１制御パターンのうち、特に、第１指示圧Ｐｕ１に続けて油圧供給源１７や調圧弁１８に第２指示圧Ｐｕ２を入力するパターンがこの発明の実施形態におけるパターン制御に相当している。第２指示圧Ｐｕ２は油圧室９の油圧を増大させる指示圧であって、かつ、第１指示圧Ｐｕ１より小さい。そのため、第２指示圧Ｐｕ２による油圧の増大あるいは変化幅は、第１指示圧Ｐｕ１による油圧の増大あるいは変化幅より小さい。第３指示圧Ｐｄ１は油圧室９の油圧を低下させる指示圧であって、第３指示圧Ｐｄ１の絶対値は第２指示圧Ｐｕ２の絶対値より大きく、第１指示圧Ｐｕ１の絶対値と第２指示圧Ｐｕ２の絶対値との合計値より小さい値に設定されている。第１指示圧Ｐｕ１，第２指示圧Ｐｕ２，第３指示圧Ｐｄ１による油圧の変化幅の大小関係を不等号で示せば下記式のとおりである。
Ｐｕ１＞Ｐｕ２，  Ｐｕ１＋Ｐｕ２＞Ｐｄ１＞Ｐｕ２
なお、第１指示圧Ｐｕ１に続けて第２指示圧Ｐｕ２を入力すると、第２指示圧Ｐｕ２の分、油圧室９の実油圧と指示圧との差圧を拡大できるため、オリフィス１９を通過する油量を増大させて、油圧室９における油量を増大することができる。その結果、指示圧に対する実油圧の変化を明確にすることができる。また、油圧室９の油圧を増大させる指示圧Ｐｕ１，Ｐｕ２に続けて油圧室９の油圧を低下させる第３指示圧Ｐｄ１を入力すると、各指示圧に対する実油圧の変化が明確になるとともに、実油圧の変化パターンの数が増えるため、いわゆる分解能を向上して同定制御の正確性を向上することができる。
【００３０】
次いで、第２指示圧Ｐｕ２が入力されてから所定時間経過したｔｊ２時点において、第２指示圧Ｐｕ２に対する摩擦クラッチ１の油圧の応答性が良いか否かが判断され、かつ、第３指示圧Ｐｄ１が入力されてから所定時間経過したｔｊ３時点において、第３指示圧Ｐｄ１に対する摩擦クラッチ１の油圧の応答性が良いか否かが判断される（ステップＳ１１）。具体的には、第２指示圧Ｐｕ２が入力された時点から所定時間経過したｔｊ２時点までの間における油圧室９での油圧の第２変化量Δ２が第２閾値β以上か否かが判断される。第３指示圧Ｐｄ１が入力された時点から所定時間経過したｔｊ３時点までの間における油圧室９での油圧の第３変化量Δ３が第３閾値γ以上か否かが判断される。それら第２閾値βと第３閾値γとは油圧応答性の良否を判定するためのものであって、実験などにより予め求めることができる。そして、少なくとも第２変化量Δ２が第２閾値βより小さい場合には、ステップＳ１１で否定的に判断され、現時点での摩擦クラッチ１の係合段階が第２ステージＳＴ２であると同定される（ステップＳ１２）。その後、ステップＳ３に戻り、再度、第１指示圧Ｐｕ１が入力され、２周期目の同定制御が実行される。また、今回の同定結果は図示しない記憶装置に一旦記憶される。
【００３１】
これに対して、少なくとも第２変化量Δ２が第２閾値βより大きい場合には、ステップＳ１１で肯定的に判断される。この場合には、現時点での摩擦クラッチ１の係合段階が、第２ステージＳＴ２から第３ステージＳＴ３への移行段階であると同定される（ステップＳ１３）。また、ステップＳ１３での同定結果が図示しない記憶装置に一旦記憶され、その後、ステップＳ９に進む。
【００３２】
なお、上述した摩擦クラッチ１の係合段階の同定制御を実行している際に、摩擦クラッチ１を係合させる指示がＥＣＵ２２に入力され、あるいは、摩擦クラッチ１を係合させる要求があるとＥＣＵ２２が判断した場合には、摩擦クラッチ１の係合段階の同定制御を一旦終了し、摩擦クラッチ１を係合させる。また、図４に記載してある一点鎖線で囲ってある領域は、摩擦クラッチ１の係合段階の同定制御における１周期に相当する。
【００３３】
ここで、ステップＳ９でのパックエンド圧の推定について説明する。先ず、前回のルーチンにおける係合段階の同定結果つまり１周期目の同定結果が第２ステージＳＴ２であり、今回のルーチンにおける係合段階の同定結果つまり２周期目の同定結果が第３ステージＳＴ３であると同定された場合について説明する。この場合には、第２ステージＳＴ２と第３ステージＳＴ３との境界は、１周期目の最終圧Ｐｆ（ｎ−１）の近傍にあると推定される。この場合におけるパックエンド圧を設定するための最終指示圧Ｐは下記の（１）式によって算出することができる。
最終指示圧Ｐ＝１周期目の同定結果の最終圧Ｐｆ（ｎ−１）・・・（１）
最終圧Ｐｆ（ｎ−１）＝基準圧Ｐｓｌｒｅｑ（ｎ−１）＋Ｐｕ１＋Ｐｕ２−Ｐｄ１
なお、１周期目のルーチンにおける同定結果の最終圧Ｐｆ（ｎ−１）に替えて、２周期目のルーチンにおける係合段階の基準圧Ｐｓｌｒｅｑ（ｎ）を最終指示圧Ｐとして用いてもよい。そして、上記のようにして算出された最終指示圧Ｐによって油圧供給源１７や調圧弁１８が制御されて油圧室９の油圧がパックエンド圧に設定される。また、最終指示圧Ｐは図示しない記憶装置に一時的に記憶され、次回のルーチンにおいて、前回値として使用される。
【００３４】
また、今回のルーチンにおける係合段階の同定結果が第２ステージＳＴ２から第３ステージＳＴ３への移行段階であると同定された場合について説明する。この場合には、第２ステージＳＴ２と第３ステージＳＴ３との境界は今回の係合段階の同定制御における基準圧Ｐｓｌｒｅｑ（ｎ）と、今回の係合段階の同定制御における最終圧Ｐｆ（ｎ）との間にあると推定される。最終圧Ｐｆ（ｎ）は、ステップＳ１３を終了した時点での指示圧であって、基準圧Ｐｓｌｒｅｑ（ｎ）に第１指示圧Ｐｕ１と第２指示圧Ｐｕ２とを加算した指示圧から、第３指示圧Ｐｄ１を減算した指示圧である。したがって、パックエンド圧を設定するための指示圧（以下の説明では最終指示圧と記す。）Ｐは下記の（２）式によって算出することができる。
最終圧Ｐｆ（ｎ）＝基準圧Ｐｓｌｒｅｑ（ｎ）＋Ｐｕ１＋Ｐｕ２−Ｐｄ１
最終指示圧Ｐ＝（基準圧Ｐｓｌｒｅｑ（ｎ）＋最終圧Ｐｆ（ｎ））／２・・・（２）
また、前回のルーチンにおける係合段階の同定結果つまり１周期目の同定結果が第２ステージＳＴ２であり、今回のルーチンにおける係合段階の同定結果つまり２周期目の同定結果が第２ステージＳＴ２から第３ステージＳＴ３への移行段階である場合も、最終指示圧Ｐは上述した（２）式によって算出することができる。
【００３５】
図８は、図４に示す制御例に基づいて推定したパックエンド圧を使用した摩擦クラッチ１の油圧制御、および、伝達トルクの変化の一例を模式的に示すタイムチャートである。運転者が図示しないブレーキペダルを踏み込んでおり、かつ、ファーストフィル制御が実行されていることにより、指示圧待機状態であると判断されると（ｔ１時点）、図４に示す制御が実行される。すなわち、第１指示圧Ｐｕ１，第２指示圧Ｐｕ２，第３指示圧Ｐｄ１が油圧供給源１７や調圧弁１８に入力され、油圧室９の油圧がステップ的に変化させられる。そして、指示圧に対する実油圧の応答性の変化に基づいて上述したように、摩擦クラッチ１の係合段階が同定される。そして、摩擦クラッチ１における係合段階の同定結果と、上述した（１）式あるいは（２）式とに基づいてパックエンド圧を達成する最終指示圧Ｐ（ｎ）が推定される（ｔ２時点）。
【００３６】
油圧供給源１７や調圧弁１８に対する指示圧が最終指示圧Ｐに設定されると（ｔ３時点）、油圧室９の油圧はパックエンド圧もしくはパックエンド圧とほぼ同じ圧力に設定される。そのため、例えば、運転者が図示しないブレーキペダルからアクセルペダルに踏み替えるなど摩擦クラッチ１でトルクを伝達する要求があった場合には、油圧室９の油圧を速やかに増大させて摩擦クラッチ１を係合状態とすることができる。
【００３７】
上述した実施形態では、摩擦クラッチ１が待機状態となっている場合に、油圧室９の油圧を実際に変化させ、各係合段階ごとの油圧応答性の変化に基づいて摩擦クラッチ１における係合段階を同定するとともに、同定された係合段階に基づいてパックエンド圧を推定している。そのため、摩擦クラッチ１や油圧供給源１７などを構成する各部品のばらつきによる個体差や、経年劣化などがあったとしても、それらの個体差や経年劣化などの影響を実質的に少なく、あるいは、許容することができる。その結果、上述した実施形態では、パックエンド圧を設定する指示圧の推定精度を向上することができる。また、待機状態において、油圧室９の油圧を、上述したパックエンド圧に設定することができるため、摩擦クラッチ１でトルクを伝達する要求があった場合には、摩擦クラッチ１を速やかに係合状態にすることができる。つまり、油圧の応答性を向上することができ、運転者が、違和感を覚えたり、加速性能や加速フィーリングが良好でないと感じたりすることを防止もしくは抑制することができる。
【００３８】
なお、この発明は上述した実施形態に限定されないのであって、上述した実施形態に係る係合機構は摩擦クラッチ１に替えて、多板ブレーキや、トルクコンバータに設けられたロックアップクラッチなどであってもよい。要は、油圧式の摩擦係合機構であればよい。
【符号の説明】
【００３９】
１…摩擦クラッチ（係合機構）、  ９…油圧室、  ２２…電子制御装置（コントローラ）、  Ｐｕ１…第１指示圧、  Ｐｕ２…第２指示圧、  Δ１…第１変化量、  Δ２…第２変化量。
【図１】
2018105402.tif 000003
【図２】
2018105402.tif 000004
【図３】
2018105402.tif 000005
【図４】
2018105402.tif 000006
【図５】
2018105402.tif 000007
【図６】
2018105402.tif 000008
【図７】
2018105402.tif 000009
【図８】
2018105402.tif 000010